(57)【要約】【課題】各階に設置する仮設支柱の数を減らすことができ、しかも、最上階より下の各階全てに設置する必要がなく、解体作業の省力化を実現できるスラブ支持装置及び建物の解体方法の提供。【解決手段】既存の建物１を解体重機２により上の階から下の階へ順次解体する際、前記建物１を補強するスラブ支持装置であって、伸縮機構を有し床梁40及び天井スラブ４の間に斜設状態で設けられる斜設支持体５を有し、この斜設支持体５の一端部には前記床梁40に当接する下部当接体７を、また、他端部には前記天井スラブ４に当接する上部当接体８を設け、前記下部当接体７及び前記上部当接体８は、前記斜設支持体５に回動自在に連結する。【選択図】図３
2018135697.tif 000002
【特許請求の範囲】
【請求項１】
既存の建物を解体重機により上の階から下の階へ順次解体する際、前記建物を補強するスラブ支持装置であって、伸縮機構を有し床梁及び天井スラブの間に斜設状態で設けられる斜設支持体を有し、この斜設支持体の一端部には前記床梁に当接する下部当接体が、また、他端部には前記天井スラブに当接する上部当接体が設けられ、前記下部当接体及び前記上部当接体は、前記斜設支持体に回動自在に連結されていることを特徴とするスラブ支持装置。
【請求項２】
請求項１記載のスラブ支持装置において、前記下部当接体は前記床梁と壁とが成す隅部に当接するものであることを特徴とするスラブ支持装置。
【請求項３】
請求項１，２いずれか１項に記載のスラブ支持装置において、前記斜設支持体には前記天井スラブに当接する補助支持体が設けられ、この補助支持体は前記斜設支持体に回動自在に連結されていることを特徴とするスラブ支持装置。
【請求項４】
請求項１〜３いずれか１項に記載のスラブ支持装置において、前記斜設支持体には該斜設支持体を前記床梁及び前記天井スラブに押し付けるためのジャッキが設けられていることを特徴とするスラブ支持装置。
【請求項５】
請求項１〜４いずれか１項に記載のスラブ支持装置において、前記斜設支持体と前記下部当接体及び前記上部当接体との連結構造は、凸面と凹面とを嵌合させた構造であることを特徴とするスラブ支持装置。
【請求項６】
請求項１〜５いずれか１項に記載のスラブ支持装置において、このスラブ支持装置は、２つを各上部当接体同士を向い合せて対設し、両斜設支持体を連結部材で連結したものであることを特徴とするスラブ支持装置。
【請求項７】
既存の建物を解体重機により上の階から下の階へ順次解体する建物の解体方法であって、前記解体重機が配置される階の下の階の床梁及び天井スラブの間に請求項１〜６いずれか１項に記載のスラブ支持装置を配設することで該天井スラブを支持し、前記解体重機により建物の解体を行うことを特徴とする建物の解体方法。
【請求項８】
請求項７記載の建物の解体方法において、前記解体重機が配置される階の１階下及び２階下の前記床梁及び天井スラブの間に請求項１〜６いずれか１項に記載のスラブ支持装置を配設することを特徴とする建物の解体方法。
【請求項９】
請求項７，８いずれか１項に記載の建物の解体方法において、請求項１〜６いずれか１項に記載のスラブ支持装置を前記解体の進行に応じて下の階に順次移動させて再使用することを特徴とする建物の解体方法。
【請求項１０】
請求項７〜９いずれか１項に記載の建物の解体方法において、請求項６に記載のスラブ支持装置を用いることを特徴とする建物の解体方法。
【発明の詳細な説明】
【技術分野】
【０００１】
本発明は、スラブ支持装置及び建物の解体方法に関するものである。
【背景技術】
【０００２】
従来から、コンクリート造や鉄骨造の多数階の建物で、周囲に十分な作業場所を確保できない場合、最上階に解体重機を設置して上の階から下の階へと順次解体する解体方法が用いられている。
【０００３】
この従来の解体方法では、解体重機を設置するにあたり建物を補強するため、建物の各階の天井スラブを特許文献１に開示されるような仮設支柱により支持している。
【０００４】
ところで、このような仮設支柱による補強は、仮設支柱の上端が天井スラブを点で受け、下端が床スラブに点で支持される。従って、図１，２に図示したように、建物Ａの各階の天井スラブＤ全体を均等に受けるためには仮設支柱Ｃを多数並設しなければならず、また、床スラブが変形しないように、下の階にも、仮設支柱Ｃを上の階の仮設支柱Ｃと平面視における位置が一致するように設置する必要がある。そのため、例えば、最上階より下の各階全てに仮設支柱Ｃを設置しなければならない場合が少なからずあり、この場合、多数の仮設支柱を同時に長期間に渡って調達する必要がある。図中、符号Ｂは解体重機である。
【０００５】
従って、多数の仮設支柱を最上階より下の各階全てに平面視における位置を合わせて設置するのは、仮設支柱が６０ｋｇ程度の重量物であることもあり、極めて費用及び手間がかかる。
【先行技術文献】
【特許文献】
【０００６】
【特許文献１】実用新案登録第３１６２８２９号公報
【発明の概要】
【発明が解決しようとする課題】
【０００７】
本発明は、上述のような現状に鑑みなされたもので、各階に設置する仮設支柱の数を減らすことができ、しかも、最上階より下の各階全てに設置する必要がなく、解体作業の省力化を実現できるスラブ支持装置及び建物の解体方法を提供するものである。
【課題を解決するための手段】
【０００８】
添付図面を参照して本発明の要旨を説明する。
【０００９】
既存の建物１を解体重機２により上の階から下の階へ順次解体する際、前記建物１を補強するスラブ支持装置であって、伸縮機構を有し床梁40及び天井スラブ４の間に斜設状態で設けられる斜設支持体５を有し、この斜設支持体５の一端部には前記床梁40に当接する下部当接体７が、また、他端部には前記天井スラブ４に当接する上部当接体８が設けられ、前記下部当接体７及び前記上部当接体８は、前記斜設支持体５に回動自在に連結されていることを特徴とするスラブ支持装置に係るものである。
【００１０】
また、請求項１記載のスラブ支持装置において、前記下部当接体７は前記床梁40と壁41とが成す隅部３に当接するものであることを特徴とするスラブ支持装置に係るものである。
【００１１】
また、請求項１，２いずれか１項に記載のスラブ支持装置において、前記斜設支持体５には前記天井スラブ４に当接する補助支持体９が設けられ、この補助支持体９は前記斜設支持体５に回動自在に連結されていることを特徴とするスラブ支持装置に係るものである。
【００１２】
また、請求項１〜３いずれか１項に記載のスラブ支持装置において、前記斜設支持体５には該斜設支持体５を前記床梁40及び前記天井スラブ４に押し付けるためのジャッキ10が設けられていることを特徴とするスラブ支持装置に係るものである。
【００１３】
また、請求項１〜４いずれか１項に記載のスラブ支持装置において、前記斜設支持体５と前記下部当接体７及び前記上部当接体８との連結構造は、凸面と凹面とを嵌合させた構造であることを特徴とするスラブ支持装置に係るものである。
【００１４】
また、請求項１〜５いずれか１項に記載のスラブ支持装置において、このスラブ支持装置は、２つを各上部当接体８同士を向い合せて対設し、両斜設支持体５を連結部材11で連結したものであることを特徴とするスラブ支持装置に係るものである。
【００１５】
また、既存の建物１を解体重機２により上の階から下の階へ順次解体する建物の解体方法であって、前記解体重機２が配置される階の下の階の床梁40及び天井スラブ４の間に請求項１〜６いずれか１項に記載のスラブ支持装置を配設することで該天井スラブ４を支持し、前記解体重機２により建物の解体を行うことを特徴とする建物の解体方法に係るものである。
【００１６】
また、請求項７記載の建物の解体方法において、前記解体重機２が配置される階の１階下及び２階下の前記床梁40及び天井スラブ４の間に請求項１〜６いずれか１項に記載のスラブ支持装置を配設することを特徴とする建物の解体方法に係るものである。
【００１７】
また、請求項７，８いずれか１項に記載の建物の解体方法において、請求項１〜６いずれか１項に記載のスラブ支持装置を前記解体の進行に応じて下の階に順次移動させて再使用することを特徴とする建物の解体方法に係るものである。
【００１８】
また、請求項７〜９いずれか１項に記載の建物の解体方法において、請求項６に記載のスラブ支持装置を用いることを特徴とする建物の解体方法に係るものである。
【発明の効果】
【００１９】
本発明は上述のように構成したから、各階に設置する仮設支柱の数を減らすことができ、しかも、最上階より下の各階全てに設置する必要がなく、解体作業の省力化を実現できるスラブ支持装置及び建物の解体方法となる。
【図面の簡単な説明】
【００２０】
【図１】従来の建物の解体方法を説明する概略説明断面図である。
【図２】図１の仮設支柱の平面視における配置状態を説明する概略説明図である。
【図３】本実施例のスラブ支持装置の概略説明斜視図である。
【図４】本実施例のスラブ支持装置を用いた建物の解体方法を説明する概略説明断面図である。
【図５】図４のスラブ支持装置の斜設支持体と補助支持体の平面視における配置状態を説明する概略説明図である。
【発明を実施するための形態】
【００２１】
好適と考える本発明の実施形態を、図面に基づいて本発明の作用を示して簡単に説明する。
【００２２】
斜設支持体５を、床スラブの中央よりも沈下し難く強度が大きい床梁40の上から天井スラブ４の中央部に向けて両者に押し付けるように斜設することで、床梁40に対して天井スラブ４を押し上げるように支持でき、強度が大きい床梁40が直接斜設支持体５からの荷重を支えることができるため、仮設支柱を床スラブに多数並設する構成に比し、少ない設置数で天井スラブ４を支持することが可能となる。
【００２３】
また、本発明は、床梁40に一端部を当接させ天井スラブ４に他端部を当接させて設置するから、床スラブ（中央部）にかかる垂直方向の力を可及的に軽減して変形量を抑制でき、仮設支柱を最上階より下の各階全てに夫々平面視における位置が一致するように設置する必要がなく、また、例えば、解体重機が設置される階の１階下若しくは２階下まで設置しておけば床スラブの変形を防止でき、建物を十分に補強することが可能な上、効率良く解体できる。
【００２４】
更に、斜設支持体５と下部当接体７及び上部当接体８とは回動自在に連結されているから、任意の傾斜角度で斜設することができ、種々の現場に対応することが可能となる。
【実施例】
【００２５】
本発明の具体的な実施例について図３〜５に基づいて説明する。
【００２６】
本実施例は、既存の建物１を解体重機２により上の階から下の階へ順次解体する際、前記建物１を補強するスラブ支持装置であって、伸縮機構を有し床梁40及び天井スラブ４の間に斜設状態で設けられる斜設支持体５を有し、この斜設支持体５の一端部には前記床梁40に当接する下部当接体７が、また、他端部には前記天井スラブ４（梁でない中央部分）に当接する上部当接体８が設けられ、前記下部当接体７及び前記上部当接体８は、前記斜設支持体５に回動自在に連結されているものである。
【００２７】
具体的には、斜設支持体５は、所定階の床梁40と壁41とが成す隅部３及び天井スラブ４の間に斜設状態で設けられ、この斜設支持体５は、本体６と、この本体６の一端部に設けられる前記下部当接体７と、前記本体６の他端部に設けられる前記上部当接体８とで構成されている。なお、本実施例においては梁上の（梁に直接支持される）床スラブ縁を含めて床梁40と称している。
【００２８】
本実施例は、床スラブを囲む床梁40と壁41とが成す隅部３に一端部（下部当接体７）が当接した２つのスラブ支持装置の各斜設支持体５の他端部（上部当接体８）同士を突き合せるように設置している。なお、上部当接体８同士を当接させて設置しても良いし、天井スラブ４に設けられた凸条部29を挟むように向い合せて対設しても良い。突き合せた一対の斜設支持体５の上部当接体８は一体構造としても良いし、後述するように左右分割構造としても良い。
【００２９】
従って、本実施例は、建物１の各階の壁で仕切られたフロア毎に設けられる。また、フロアの広さや天井スラブ４の強度等に応じて各フロアに設置する数を適宜設定する。また、壁41が無い床梁40部分に補助的に従来の仮設支柱32を用い、この仮設支柱32と床梁40とがなす隅部３に一端部を当接させても良い。なお、本実施例では、壁41が無い床梁40に仮設支柱32を設けた構成としているが、仮設支柱32は必須でなく、斜設支持体５の下部当接部を床梁40にのみ当接させても良い。
【００３０】
図３に図示したように、斜設支持体５の本体６は、外筒６ａ、中間筒６ｂ及び内筒６ｃで構成されている。なお、図中、符号６ｄは後述する板部19・可動部10ａが取り付けられる端板である。
【００３１】
中間筒６ｂの外周面には螺子溝12が設けられ、この螺子溝12の一部と螺合する螺子部を有する螺子環13が外筒６ａの上端に回動自在に係止されている。また、内筒６ｃは中間筒６ｂに挿入され、内筒６ｃに多数設けられたピン孔14と中間筒６ｂの上部に設けられたピン孔とを一致させてピン15で固定することで、ある程度の長さ調整を行うことができる。
【００３２】
従って、ピン固定により内筒６ｃの中間筒６ｂからの突出量を決めた後、螺子環13を回動操作して中間筒６ｂを螺動させて外筒６ａからの中間筒６ｂの突出量を微調整することで、斜設支持体５による隅部３及び天井スラブ４に密着状態で押し付けることができる。
【００３３】
斜設支持体５の下端部、即ち、本体６と下部当接体７との間には、ジャッキ10が設けられている。ジャッキ10としては一般的な機械式ジャッキ若しくは油圧ジャッキ等を採用でき、このジャッキ10によって天井スラブ４を押し上げる力（プレロード）を適宜設定できる。
【００３４】
斜設支持体５同士は、伸縮機構を有する連結部材11により連結されている。連結部材11と斜設支持体５とは回動自在に連結されている。
【００３５】
また、斜設支持体５には天井スラブ４に当接する補助支持体９が設けられ、この補助支持体９は斜設支持体５に回動自在に連結されている。また、補助支持体９は伸縮機構を有している。ジャッキ10によって、補助支持体９の位置でも天井スラブ４を押し上げることができる。天井スラブ４の中央部が押し上げられることで、発生する力が緩和低減される。
【００３６】
連結部材11及び補助支持体９は、斜設支持体５の本体６と同様の構成（外筒11ａ・９ａ、中間筒11ｂ・９ｂ及び内筒11ｃ・９ｃから成る構成）であり、ピン固定により内筒11ｃ・９ｃの中間筒11ｂ・９ｂからの突出量を決めた後、螺子環30・31を回動操作して螺動により外筒11ａ・９ａからの中間筒11ｂ・９ｂの突出量を微調整することができる構成である。従って、斜設支持体５同士を互いに密着拘束し、斜設支持体５を介してジャッキ10により補助支持体９を天井スラブ４に密着させた後、押し上げることができる。
【００３７】
連結部材11及び補助支持体９は、斜設支持体５の本体６の内筒６ｃのピン孔14と連通するピン孔を有する受け部材17に回動自在に連結されている。従って、受け部材17の位置もピン16を挿通させる内筒６ｃのピン孔14の位置に応じて設定できる。
【００３８】
本実施例において各部材を回動自在に連結する構造としては、凸面と凹面とを嵌合させた構造を採用している。
【００３９】
具体的には、斜設支持体５、補助支持体９及び連結部材11の端部に、斜設支持体５、補助支持体９及び連結部材11の長手方向と夫々直交する方向に延びる半円筒部を設け、半円筒部を受ける受部に半円筒部の周面の凸円筒面と一致する凹円筒面を設け、これらを嵌合させて半円筒部を有する部材が受部に対して回動自在となるように構成されている。
【００４０】
更に具体的に説明すると、斜設支持体５の本体６の内筒６ｃの先端には、半円筒部18が設けられる板部19が設けられ、外筒６ａの基端はジャッキ10の可動部10ａと連結され、ジャッキ10の固定部10ｂの底部に半円筒部18が設けられる板部19が設けられている。また、下部当接体７及び上部当接体８は、水平板部と垂直板部とから成る断面視Ｌ字状の当接板20に半円筒部18を受ける凹円筒面が形成された受部21が設けられた構成である。下部当接体７の当接板20の水平板部は床梁40に当接し、垂直板部は壁41に当接する。また、上部当接体８の当接板20の水平板部は天井スラブ４に当接し、垂直板部は対となる斜設支持体５の上部当接体８の垂直板部に当接する。
【００４１】
斜設支持体５の傾斜角度は適宜設定できる。具体的には、床スラブに対して３０°以上６０°以下の角度で回転傾斜できるようにすれば十分に建物空間の変化に汎用的な対応ができ、支持効果を発揮できる。
【００４２】
また、補助支持体９の先端には天井スラブ４に当接する当接板22が設けられ、基端には半円筒部23が設けられる板部24が設けられている。受け部材17にはこの半円筒部23を受ける凹円筒面が形成された受部25が設けられている。
【００４３】
また、連結部材11の先端及び基端には半円筒部26が設けられる板部27が設けられている。受け部材17にはこの半円筒部26を受ける凹円筒面が形成された受部28が設けられている。
【００４４】
従って、簡易な構成で各部材を回動自在に連結することができる。
【００４５】
また、スラブ支持装置は建物の解体の進行に応じて、設置場所から取り外し、下の階に順次移動させて再使用することができる。
【００４６】
以上の構成のスラブ支持装置を、図４，５に図示したように、解体重機２が配置される最上階から多くとも２階下までの階の床梁40及び天井スラブ４の間に設置してこれらの階の天井スラブ４のみを支持させ、順次解体重機２による解体を行う。
【００４７】
解体作業は、通常は解体重機２が配置された最上階の構築物を解体した後、スラブ支持装置が予め設置された下の階の所定のフロアに移動降下して当該階の構築物の解体を行うが、解体重機２が降りた後には、稼働する階のスラブ支持装置の補強を取り外すことができ、取り外した範囲の構築物から順番に解体する。
【００４８】
また、解体により生じたコンクリート塊等は、建物１に適宜形成された投下口から地上へ落下せしめられ、搬出車両により順次搬出される。また、スラブ支持装置の斜設支持体５は各階層の各フロアに夫々１組若しくは２組ずつ設置するのが好ましいが、フロアの広さ等に応じて設置しないフロア、３組以上設置するフロア等、適宜設定する。
【００４９】
なお、図４では４階建ての建物１を図示しているが、より多層階の建物１（１０階程度）でも同様に最上階から多くとも２階下までの天井スラブ４のみ（解体重機２が稼働する天井スラブ４及びその直下階の天井スラブ４のみ）を支持することとしても良好に補強できることを確認している。具体的には、解体重機２が稼働する天井スラブ４のみを支持する構成（最上階の１階下にのみスラブ支持装置を配置する構成）で十分に強度は確保できるが、工程進捗上、先行設置が必要であることから、予め最上階の１階下及び２階下の２層分に設置しておき、解体作業の進行に応じて順次転用できるようにすると効率的である。
【００５０】
この点、図１，２に図示したような従来の仮設支柱のみを用いる場合には、１０階程度の場合、一般的には、解体重機が稼働する最上階より下の３層以上に渡って設置する必要が生じ、場合によっては各階全てに設置する必要があり、極めて厄介である。
【００５１】
従来の仮設支柱のみによる補強では、場合によっては仮設支柱を最上階より下の各階全てに設置する必要が生じる理由について以下詳述する。
【００５２】
床スラブは、自重および積載荷重によって中央部ほど大きな沈下が発生するので、中央部において下面に曲げ引張り応力、上面に曲げ圧縮応力が大きくなる。現在解体の対象となっている建物の床スラブは、一般に鉄筋コンクリート造であり、使用状態で想定している荷重による曲げ引張りに対して必要な強度を確保するため、床スラブ下面側に水平方向に鉄筋を入れて補強している。曲げ圧縮応力に対しては、コンクリートだけで強度が確保できるので床スラブ上面側には部分的に鉄筋がないことが多い。床スラブが梁で区画支持される外縁付近は、上記とは反対に上面が反る曲げ引張り力となるので、上面側に水平方向に鉄筋を入れて補強している。
【００５３】
このような建物を解体重機を用いて上の階から下の階へ順次解体する際、上述の状態の床スラブ上に、解体重機と解体破砕物による大きな荷重が追加されるため、仮設支柱などによる補強なしでは床スラブ強度が不足してしまう。そのため、従来は、解体重機を設置するにあたり建物を補強するため、建物の各階の天井スラブを特許文献１に開示されるような仮設支柱を鉛直に設置して支持している。
【００５４】
このような仮設支柱による補強は、図１，２に図示したように仮設支柱の上端が天井スラブを点で受け、下端が梁で区画支持されている外縁から離れた床スラブ上に支持される。ところが、重機等の大きな荷重が載る最上面の床スラブにおいて、仮設支柱を設置した位置では、床スラブの沈下が周囲より抑えられて上面に曲げ引張り力が発生し、仮設支柱と仮設支柱の中間で沈下が極大となるため下面に曲げ引張り力が生じることとなる。その曲げ引張り力が、床スラブが保有している強度以下となるように仮設支柱の配置を決定する必要がある。使用時には上面に曲げ圧縮力が発生するとして上面に鉄筋補強がない位置に、解体作業時には上面に曲げ引張り力が発生する位置ができるため、コンクリートだけの強度を満足する曲げ引張り力に収まるよう仮設支柱の設置間隔を狭くせざるを得ず、仮設支柱の平面的な配置・必要本数が決定される。仮設支柱が床スラブを押抜く力に対しても強度があることを確認する必要がある。さらに、仮設支柱が設置された下階の床スラブは、仮設支柱に伝達される荷重によって、使用状態よりも大きなたわみが生じることとなり、一般的に強度不足となる。重機等の荷重は仮設支柱の配置や圧縮変形特性と床スラブの沈下特性との相対的な関係によって、仮設支柱が受け持つ割合が変化する。すなわち、床スラブが薄く広い場合には沈下し易く、床スラブが厚く狭い場合に比べ、仮設支柱が受け持ち下階の床スラブに作用する荷重が大きくなる。仮設支柱を沈下し易い床スラブ中央で支えることは、沈下しない位置で支える場合に比べ、上のスラブも沈下し易いため仮設支柱の効きが悪い。同時・多層に渡って仮設支柱を設置する理由は、中間の床スラブや梁が荷重の一部を負担できることで、下層の仮設支柱ほど受け持つ荷重が小さくなっていくのであるが、仮設支柱を最下面で支える床スラブに生じる力がその床スラブが保有している強度を満足するまでに、何層もの仮設支柱の設置による荷重の低減が必要なためである。また、最上階より下の各階全てに夫々平面視において重なるように仮設支柱を設置しないと、床スラブの発生する曲げ引張り力や押抜き力が大きくなって床スラブが破壊しやすいためである。
【００５５】
即ち、本発明は、最上階のスラブを従来の仮設支柱のみで補強する場合と同等に補強でき、且つ、仮設支柱を多数並設する場合の床スラブの変形を抑制できる構成を見出した点が画期的である。
【００５６】
本実施例は上述のように構成したから、斜設支持体５を、隅部３の床梁40の上から天井スラブ４の中央部に向けて両者に押し付けるように斜設することで、隅部３（梁と壁）に対して天井スラブ４を押し上げるように支持でき、強度が大きい床梁40が直接斜設支持体５からの荷重を支えることができるため、仮設支柱を床スラブに多数並設する構成に比し、少ない設置数で天井スラブ４を支持することが可能となる。
【００５７】
また、床スラブ（中央部）にかかる垂直方向の力を可及的に軽減して変形量を抑制でき、仮設支柱を最上階より下の各階全てに夫々平面視における位置が一致するように設置する必要がなく、解体重機が設置される階の１階下若しくは２階下まで設置しておけば床スラブの変形を防止でき、建物を十分に補強することが可能な上、効率良く解体できる。
【００５８】
更に、斜設支持体５と下部当接体７及び上部当接体８とは回動自在に連結されているから、任意の傾斜角度で斜設することができ、種々の現場に対応することが可能となる。
【００５９】
よって、本実施例は、各階に設置する仮設支柱の数を減らすことができ、しかも、最上階より下の各階全てに設置する必要がなく、解体作業の省力化を実現できるものとなる。
【符号の説明】
【００６０】
１  建物
２  解体重機
３  隅部
４  天井スラブ
５  斜設支持体
７  下部当接体
８  上部当接体
９  補助支持体
10  ジャッキ
11  連結部材
40  床梁
41  壁
【図１】
2018135697.tif 000003
【図２】
2018135697.tif 000004
【図３】
2018135697.tif 000005
【図４】
2018135697.tif 000006
【図５】
2018135697.tif 000007